(57)【要約】移動端末の所在地を管理する方法が、移動端末の位置を取得することと、移動端末から目的地点までの距離を推定することと、移動端末が目的地点に到着するために要する推定時間を生成することと、そして、移動端末が目的地点に到着するために要する推定時間が閾値時間に達した場合に警報を発生することとを含む。関連の移動端末も開示する。
2010522867.tif 000002
【特許請求の範囲】
【請求項１】
移動端末の位置を管理する方法であって、
前記移動端末の位置を取得する取得ステップと、
前記移動端末から目的地点までの距離を推定する推定ステップと、
前記移動端末が前記目的地点に到達するのに要する推定時間を生成する生成ステップと、
前記推定時間が閾値時間に達すると警告を発生する発生ステップと
を備えたことを特徴とする方法。
【請求項２】
前記推定ステップは、
前記移動端末に課せられた移動の制限に基づいて前記移動端末の位置と前記目的地点との間のルートを作成するステップ
を備え、
前記推定時間の前記生成ステップは、
前記作成されたルートに基づいて前記推定時間を生成するステップ
を備えることを特徴とする請求項１に記載の方法。
【請求項３】
前記ルートを作成するステップは、前記移動端末の動作モードに応答して実行されるステップであることを特徴とする請求項２に記載の方法。
【請求項４】
前記動作モードには、歩行者動作モードが含まれており、
前記移動の制限には、建物、橋、門、フェンスのうち少なくとも１つが含まれている
ことを特徴とする請求項３に記載の方法。
【請求項５】
前記動作モードには、乗り物動作モードが含まれており、
前記移動の制限には、道路が含まれている
ことを特徴とする請求項３に記載の方法。
【請求項６】
前記移動端末の現在の速度を測定するステップをさらに備え、
前記推定時間の前記生成ステップは、前記現在の速度に応答して前記推定時間を生成するステップである
ことを特徴とする請求項２に記載の方法。
【請求項７】
前記推定時間の前記生成ステップは、前記移動端末が平均速度と最大速度との少なくとも一方で移動するものと仮定して前記推定時間を生成するステップであることを特徴とする請求項２に記載の方法。
【請求項８】
前記移動端末の位置と前記目的地点との間に存在するエリアにおける交通を示す交通情報を取得するステップをさらに備え、
前記推定時間の前記生成ステップは、前記交通情報に応答して前記推定時間を生成するステップである
ことを特徴とする請求項２に記載の方法。
【請求項９】
前記ルートを作成するステップは、前記交通情報に応答して前記移動端末の現在の位置と前記目的地点との間における最短ルートを作成するステップを備えていることを特徴とする請求項８に記載の方法。
【請求項１０】
前記警報を発生する前記発生ステップは、前記推定時間が前記閾値時間を超えた場合に前記警報を発生するステップであることを特徴とする請求項１に記載の方法。
【請求項１１】
前記警報を発生する前記発生ステップは、前記推定時間が前記閾値時間よりも短い場合に前記警報を発生するステップであることを特徴とする請求項１に記載の方法。
【請求項１２】
前記移動端末の位置と、前記目的地点と、前記移動端末の移動レートとに応答して前記目的地点の周囲に配置される一時的な地理的境界線を算出するステップをさらに備えることを特徴とする請求項１に記載の方法。
【請求項１３】
前記移動端末が備える表示装置に前記一時的な地理的境界線を表示するステップをさらに備えることを特徴とする請求項１２に記載の方法。
【請求項１４】
前記移動端末に関する情報ボックスを表示するステップをさらに備え、
前記情報ボックスには、前記推定時間が含まれている
ことを特徴とする請求項１に記載の方法。
【請求項１５】
前記一時的な地理的境界線を時間の経過とともに動的に更新するステップをさらに備えることを特徴とする請求項１２に記載の方法。
【請求項１６】
複数の移動端末の位置を管理する方法であって、
前記複数の移動端末の位置を取得する取得ステップと、
前記複数の移動端末から目的地点までの距離を推定する推定ステップと、
前記複数の移動端末が前記目的地点に到達するのに要する推定時間を生成する生成ステップと、
前記複数の移動端末のうち少なくとも１つの移動端末についての前記推定時間が閾値時間に達すると警告を発生する発生ステップと
を備えることを特徴とする方法。
【請求項１７】
移動端末であって、
前記移動端末の位置を取得するように構成された位置管理ユニットと、
前記移動端末から目的地点までの距離を推定し、前記移動端末が前記目的地点に到達するのに要する推定時間を生成し、前記推定時間が閾値時間に達すると警告を発生するように構成された制御ユニットと
を備えることを特徴とする移動端末。
【請求項１８】
前記移動端末の位置と前記目的地点との間に存在するエリアにおける交通を示す交通情報を取得する交通情報取得ユニットをさらに備え、
前記制御ユニットは、前記交通情報に応答して前記推定時間を生成するように構成されている
ことを特徴とする請求項１７に記載の移動端末。
【請求項１９】
前記制御ユニットは、前記移動端末の位置と、前記目的地点と、前記移動端末の移動レートとに応答して前記目的地点の周囲に配置される一時的な地理的境界線を算出するように構成されていることを特徴とする請求項１７に記載の移動端末。
【請求項２０】
地図データベースをさらに備え、
前記制御ユニットは、前記地図データベースに記憶されている地図情報に応答して前記移動端末の位置から前記目的地点へのルートを作成するように構成されていることを特徴とする請求項１７に記載の移動端末。
【発明の詳細な説明】
【技術分野】
【０００１】
本発明は、無線通信端末に関し、詳細には、端末のロケーション（所在地）を決定する機能を含む無線通信端末に関する。
【背景技術】
【０００２】
無線通信端末は、典型的には、セルラー電話ネットワークを通じて無線電話サービスへのアクセスを得ることを目的としてユーザによって購入される。しかし、移動通信端末の性能が高まるにつれて、新たなレベルのユーザ機能が、そのような移動端末のハードウェアおよび／またはソフトウェアの中に備えられるようになっている。例えば、通信端末にスチルカメラおよび／またはビデオカメラが備えられ、それによってユーザが写真および／または動画を撮影して移動端末から他者へ送信することができる。同様に、多くの通信端末は、スケジューリングやタスクなどを把握するのに適した携帯情報端末（ＰＤＡ）タイプのアプリケーションを備えている。また多くの通信端末は、例えば電子メール（ｅメール）機能、ショートメッセージサービス（ＳＭＳ）機能、マルチメディアメッセージサービス（ＭＭＳ）機能のような、メッセージング機能を備えている。また通信端末は、無線ネットワークおよび／または有線ネットワーク上でインターネットプロトコル（ＩＰ）を用いてインターネットに接続することができることもある。
【０００３】
また通信端末は、端末の物理的所在地を決定する機能を徐々に備えてきている。例えば、端末が自分の所在地を高精度で決定できるようにする全地球測位システム（ＧＰＳ）受信機を有する通信端末も多い。通信端末の所在地を判定するための他のシステムも実装されてきており、セルラー通信ネットワークから所在地情報を取得するシステムや慣性誘導技術を通じて所在地情報を取得するシステムもそれらに含まれる。
【発明の概要】
【課題を解決するための手段】
【０００４】
本発明の一部の実施形態は、移動端末の所在地を管理する方法を提供する。本方法は、移動端末のポジション（位置）を取得するステップと、移動端末から目的地点までの距離を推定するステップと、移動端末が目的地点に到着するために要する推定時間を生成するステップと、そして、移動端末が目的地点に到着するために要する推定時間が閾値時間に達した場合に警報を発生するステップとを含む。
【０００５】
移動端末から目的地点までの距離を推定するステップは、移動端末の動作制約に基づいて移動端末の位置と目的地点との間のルートを生成するステップを含んでもよい。移動端末が目的地点に到着するために要する推定時間を生成するステップは、生成されたルートに基づいて推定時間を生成するステップを含んでもよい。
【０００６】
ルートを生成するステップは、移動端末の動作モードに応じて行われてもよい。動作モードは、歩行者動作モードを含んでもよく、動作制約は、建物、橋、門、フェンスのうち少なくとも１つを含んでもよい。一部の実施形態で、動作モードは、車両動作モードを含んでもよく、動作制約は、道路を含んでもよい。
【０００７】
本方法はさらに、移動端末の現在速度を測定するステップを含んでもよい。そして、移動端末が目的地点に到着するために要する推定時間を生成するステップは、現在速度に応じて推定時間を生成するステップを含んでもよい。一部の実施形態で、移動端末が目的地点に到着するために要する推定時間を生成するステップは、移動端末が平均速度および／または最大速度でルートを走行することを想定して推定時間を生成するステップを含んでもよい。
【０００８】
本方法はさらに、移動端末と目的地点との間におけるエリア内の交通量を示す交通情報を取得するステップを含んでもよい。移動端末が目的地点に到着するために要する推定時間を生成するステップは、移動端末の位置と目的地点との間におけるエリア内の交通量に応じて推定時間を生成するステップを含んでもよい。
【０００９】
ルートを生成するステップは、移動端末と目的地点との間におけるエリア内の交通量に応じて、移動端末の位置と目的地点との間における最速ルートを生成するステップを含んでもよい。
【００１０】
警報を発生するステップは、移動端末が目的地点に到着するために要する推定時間が閾値時間を超えた場合に警報を発生するステップを含んでもよい。一部の実施形態では、警報を発生するステップは、移動端末が目的地点に到着するために要する推定時間が閾値時間に満たない場合に警報を発生するステップを含んでもよい。
【００１１】
本方法はさらに、移動端末の位置と、目的地点の場所と、移動端末の動作速度に応じて、目的地点の周囲における一時的な地理的境界線を算出するステップを含んでもよい。本方法はさらに、移動端末の表示画面に一時的な地理的境界線を表示するステップを含んでもよい。
【００１２】
本方法はさらに、目的地点を指定するユーザ入力を受信するステップと、移動端末の位置と目的地点との間におけるルートを生成するステップとを含んでもよい。
【００１３】
本方法はさらに、移動端末に関連する情報ボックスを表示するステップを含んでもよく、その情報ボックスは、移動端末が目的地点に到着するために要する推定時間を含む。本方法はさらに、時間の経過に応じて一時的な地理的境界線を動的に更新するステップを含んでもよい。
【００１４】
本発明の一部の実施形態による複数の移動端末の所在地を管理する方法は、複数の移動端末の位置を取得するステップと、複数の移動端末から目的地点までの距離を推定するステップと、移動端末が目的地点に到着するために要する推定時間を生成するステップと、そして、少なくとも１つの移動端末が目的地点に到着するために要する推定時間が閾値時間に達する場合に警報を発生するステップとを含む。
【００１５】
本発明の一部の実施形態による移動端末は、移動端末の位置を取得するように構成された所在地管理ユニットと、コントローラ（制御器）とを有する。制御器は、移動端末の位置から目的地点までの距離を推定するように構成され、移動端末が目的地点に到着するために要する推定時間を生成するように構成され、そして、移動端末が目的地点に到着するために要する推定時間が閾値時間に達した場合に警報を発生するように構成される。
【００１６】
移動端末はさらに、移動端末の位置と目的地点との間におけるエリア内の交通量を示す交通情報を取得するように構成された交通情報ユニットを有してもよい。制御器はさらに、移動端末の位置と目的地点との間におけるエリア内の交通量に応じて推定時間を生成するように構成されてもよい。
【００１７】
制御器はさらに、移動端末の位置と、目的地点の場所と、移動端末の動作速度とに応じて、目的地点の周囲に配置される一時的な地理的境界線を算出するように構成されてもよい。
【００１８】
移動端末はさらに、地図データベースを有してもよく、そして、制御器はさらに、地図データベースの中に記憶された地図情報に応じて移動端末の位置と目的地点との間におけるルートを生成するように構成されてもよい。
【００１９】
添付の図面は本発明の特定の実施形態を図解するものであるが、本発明のさらなる理解を与えるために含まれており、本願に援用されて本願の一部を成す。
【図面の簡単な説明】
【００２０】
【図１】本発明の一部の実施形態による無線通信端末とセルラー通信システムとを示す概略ブロック図である。
【図２】本発明の一部の実施形態による無線通信端末の一部の態様を示す概略ブロック図である。
【図３】本発明の一部の実施形態による無線通信端末の一部の態様を示す概略ブロック図である。
【図４】本発明の一部の実施形態によって構成された表示画面の例示的図解である。
【図５】本発明の一部の実施形態によって構成された表示画面の例示的図解である。
【図６】本発明の一部の実施形態によって構成された表示画面の例示的図解である。
【図７】本発明の一部の実施形態によって構成された表示画面の例示的図解である。
【図８】本発明の一部の実施形態によって構成された表示画面の例示的図解である。
【図９】本発明の一部の実施形態による通信端末の動作を示すフロー図である。
【図１０】本発明の一部の実施形態による通信端末の動作を示すフロー図である。
【図１１】本発明の一部の実施形態による通信端末の動作を示すフロー図である。
【発明を実施するための形態】
【００２１】
ここで本発明について、本発明の実施形態を示す添付の図面を参照しながら、より詳細に記述しよう。しかし、本発明は、本書に述べた実施形態に限定されると解釈されてはならない。むしろ、これらの実施形態は、この開示が完璧かつ完全であり、本発明の範囲を当業者に十分に伝達できることを目的として提供される。全体を通じて、同一ないしは類似の番号は同一ないしは類似の要素を指す。
【００２２】
本書では、「備えている」または「備える」という用語は、１つ以上の記載した要素、ステップおよび／または機能を含むことに加え、１つ以上の記載されていない要素、ステップおよび／または機能が含まれうることを排除しない表現である。本書では、「および／または」という用語は、１つ以上の関連するリストされた項目のうち、任意かつすべての組み合わせを含むことを意図している。
【００２３】
本発明の実施形態について、方法および通信端末のブロック図および／または動作の図解を参照しながら述べよう。理解されるべきだが、ブロック図および／または動作の図解の中の各ブロックおよびブロック図および／または動作の図解の中の複数のブロックの各組み合わせは、無線周波数、アナログおよび／またはデジタルハードウェアおよび／またはプログラム命令によって実装することができる。制御器および／または他のプログラム可能なデータ処理装置を介して実行される命令により、ブロック図および／または動作ブロックまたは複数の動作ブロックに明記された機能／動作を実装するための手段が作成されるように、これらのプログラム命令が制御器へ提供されてもよく、制御器は、１つ以上の汎用プロセッサ、特殊用途プロセッサ、ＡＳＩＣ、および／または他のプログラム可能なデータ処理装置を含んでもよい。一部の実施形態では、ブロックの中に記載された機能／動作は、動作の図解に記載された順序とは異なる順序で行われてもよい。例えば、連続して示す２つのブロックは、実際には実質的に同時に実行されてもよいし、あるいは、関係する機能／動作によっては、それらのブロックが時には逆の順序で実行されてもよい。
【００２４】
本書では、「通信端末」（あるいは単純に「端末」）は、例えば公衆電話交換網（ＰＳＴＮ）、デジタル加入者回線（ＤＳＬ）、デジタルケーブル、直接ケーブル接続、および／または他のデータ接続／ネットワークのような有線接続を介して、および／または、例えばセルラーネットワーク、無線ローカルエリアネットワーク（ＷＬＡＮ）、例えばＤＶＢ−Ｈネットワークのようなデジタルテレビジョンネットワーク、衛星ネットワーク、ＡＭ／ＦＭブロードキャスト送信機、および／または他の通信端末を使った無線インタフェースを介して、通信信号を受信／送信するように構成されたデバイスを含むが、それに限定されない。無線インタフェース上で通信するように構成された通信端末は、「無線通信端末」「無線端末」および／または「移動端末」と呼ばれてもよい。移動端末の例としては、衛星またはセルラー無線電話と、データ処理とファクシミリおよびデータ通信機能とを組み合わせてもよいパーソナル通信システム（ＰＣＳ）端末と、無線電話器とポケベルとインターネット／イントラネットへのアクセスとウェブブラウザとオーガナイザとカレンダおよび／または全地球測位システム（ＧＰＳ）受信機とを含みうるＰＤＡと、そして、従来のラップトップおよび／またはパームトップ受信機または無線電話通信装置（トランシーバ）を含む他の装置と、を含むがそれらに限定されない。
【００２５】
電子デバイス間の無線通信は、多様な通信媒体と通信システムと通信標準とを用いて達成されてもよい。例えば、携帯電話のような携帯型電子デバイスは、典型的にはアナログおよび／またはデジタルワイヤレス無線周波数（ＲＦ）電話システムを介して通信するように構成される。そのようなデバイスはさらに、有線および／または無線ローカルエリアネットワーク（ＬＡＮ）と、例えばＢｌｕｅｔｏｏｔｈ  ＲＦ通信チャネルや赤外線通信チャネルのような短距離通信チャネルと、および／または衛星通信システムのような長距離通信システムとを用いて通信するように構成されてもよい。
【００２６】
図１は、直接無線通信インタフェース１０６を介してか、１つ以上のセルラー基地局１１０ａ乃至ｂを通じて別の無線通信インタフェース１０８を介してか、および／または、無線ローカルエリアネットワーク（ＷＬＡＮ）のアクセスポイント１１４を通じた別の無線通信インタフェース１１２を介して、相互にデータを通信するように構成された２つの通信端末１０２と１０４とを含む無線通信システム１００の概略ブロック図である。直接無線通信インタフェース１０６は、ＢｌｕｅｔｏｏｔｈインタフェースのようなＲＦ無線通信インタフェースかまたは、例えば赤外線データ通信協会（ＩｒＤＡ）プロトコルによって定義された赤外線通信インタフェースのような赤外線通信インタフェースを含んでもよい。ＩｒＤＡは、最大１６Ｍｂ／ｓまでのデータ速度での赤外線無線通信のための標準も含めて、赤外線無線データ通信に関する複数の標準を定義している。理解されるであろうが、通信端末１０２と１０４のうち１つ以上は、例えば携帯電話やＰＤＡ等のような、手持ち式無線通信端末であってもよい。
【００２７】
図１にさらに示すように、端末１０２および１０４は、ユーザインタフェース１２２と、制御器１２６と、通信モジュール１２８と、メモリ１２５とを有してもよい。
【００２８】
通信モジュール１２８は、無線インタフェース１０６と１０８と、および／または１１２とのうち１つ以上を経て他のリモート端末または他の通信デバイスとデータを通信するように構成される。メモリ１２５は、制御器１２６によって用いられるプログラムおよび／またはデータを記憶するように構成される。メモリ１２５は、端末１０２および１０４への電源からの電力の供給が切れた場合でもデジタル情報を記憶することができる不揮発性メモリを有してもよい。
【００２９】
通信モジュール１２８は、例えばセルラー通信モジュール、Ｂｌｕｅｔｏｏｔｈモジュール、赤外線通信モジュール、および／、または、ＷＬＡＮモジュールを含んでもよい。セルラー通信モジュールを使う場合、端末１０２および１０４は、基地局ａ乃至ｂを介して例えば、例としてＡｄｖａｎｃｅｄ  Ｍｏｂｉｌｅ  Ｐｈｏｎｅ  Ｓｅｒｖｉｃｅ（ＡＭＰＳ）、ＡＮＳＩ−１３６、Ｇｌｏｂａｌ  Ｓｔａｎｄａｒｄ  ｆｏｒ  Ｍｏｂｉｌｅ（ＧＳＭ）ｃｏｍｍｕｎｉｃａｔｉｏｎ，Ｇｅｎｅｒａｌ  Ｐａｃｋｅｔ  Ｒａｄｉｏ  Ｓｅｒｖｉｃｅ（ＧＰＲＳ）、ｅｎｈａｎｃｅｄ  ｄａｔａ  ｒａｔｅｓ  ｆｏｒ  ＧＳＭ  ｅｖｏｌｕｔｉｏｎ（ＥＤＧＥ）、符号分割多元接続（ＣＤＭＡ）、広帯域ＣＤＭＡ、ＣＤＭＡ２０００、およびＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）のような１つ以上のセルラー通信プロトコルを用いて通信してもよい。セルラー基地局１１０ａ乃至ｂは、Ｍｏｂｉｌｅ  Ｔｅｌｅｐｈｏｎｅ  Ｓｗｉｔｃｈｉｎｇ  Ｏｆｆｉｃｅ（ＭＴＳＯ）１１６に接続し、それが次に、１つ以上の他のネットワーク１１８（例えばインターネット、公衆交換電話網、および／または他のネットワーク）に接続してもよい。Ｂｌｕｅｔｏｏｔｈまたは赤外線モジュールの場合、端末１０２および１０４は、直接インタフェース１０６を用いてアドホックネットワークを介して通信することができる。ＷＬＡＮモジュールの場合、端末１０２および１０４は、ＷＬＡＮルータ１１４を通って、８０２．１１ａ、８０２．１１ｂ、８０２．１１ｅ、８０２．１１ｇおよび／または８０２．１１ｉを含んでもよいがそれらに限定されない通信プロトコルを用いて通信することができる。また、端末１０２および１０４のうち１つ以上が、図１に示すようにネットワーク１１８を経て直接通信するように構成されてもよい。
【００３０】
端末１０２および１０４は、デジタルデータ信号を相互に、および／または、例えばＭＴＳＯ１１６を通して、および／または、公衆交換電話網（ＰＳＴＮ）のような他のネットワーク１１８を通して、通信的にそこに連結されてもよい他の通信端末と、送信および／または受信するように構成されてもよい。しかし、理解されるであろうが、端末１０２と１０４の間のデータ通信は、ＭＴＳＯ１１６または他のネットワーク１１８を用いることなく達成されてもよい。
【００３１】
端末１０２および１０４は、さらに、ＡＭ／ＦＭラジオチューナ、ＵＨＦ／ＶＨＦチューナ、衛星ラジオチューナ、ＤＶＢ−Ｈ受信機、および／または、放送された音声／動画信号を受信するように構成された別の受信機を含んでもよい。
【００３２】
本発明の一部の実施形態による端末１０２の一部の別の態様を図２に示す。図示するように、端末１０２は、さらに、位置／速度決定ユニット１４６と交通情報ユニット１４８とを含んでもよい。位置／速度決定ユニット１４６および交通情報ユニット１４８は、図２に示すように制御器１２６を通して通信モジュール１２８と通信してもよい。その代案として、または、それに追加して、位置／速度決定ユニット１４６および／または交通情報ユニット１４８は、例えばシステムバスを通して、通信モジュール１２８と直接通信してもよい。
【００３３】
一部の実施形態によると、位置／速度決定ユニット１４６は、端末１０２の現在位置および／または速度を判定するように構成されてもよい。例えば、位置／速度決定ユニット１４６は、位置／速度決定ユニット１４６が、端末１０２の場所を高精度で判定できるようにする全地球測位システム（ＧＰＳ）受信機を含んでもよい。位置／速度決定ユニット１４６は、端末１０２の場所を判定するための他のシステムおよび／または機能を含んでもよい。例えば、位置／速度決定ユニット１４６は、端末１０２の通信相手であってもよいセルラー通信ネットワークから端末１０２の場所の情報を取得するように構成されてもよい。位置／速度決定ユニット１４６は、さらに、位置／速度決定ユニット１４６が、既知の位置からの慣性運動を通して端末１０２の位置／速度を判定できるようにする慣性誘導システムを含んでもよい。
【００３４】
交通情報ユニット１４８は、端末１０２が存在する場所かまたはその近くでの、および／または、目的地点の近くでの、あるいは、端末１０２の現在所在地から目的地点までのルート沿いの、現在の自動車および／または歩行者の交通に関する情報を取得するように構成される。例えば、交通情報は、端末１０２によって受信されてもよい公共および／またはプライベート通信ネットワークの１つ以上のデータサブチャネルでブロードキャスト（同報）されてもよい。例えば、北米全体およびヨーロッパ全体の複数の都市では、交通メッセージ送信チャネル（ＴＭＣ）データが利用できる。ＴＭＣデータは、ＦＭラジオチャネルで連続的に同報され、事故、道路工事、警察の対応や非常事態の対応等のお知らせを提供してもよい。
【００３５】
交通情報ユニット１４８によって取得された交通情報を制御器１２６が用いて、端末１０２のユーザの推定移動時間および／またはルート情報を決定してもよく、それについては以下にもっと詳しく述べる。
【００３６】
端末１０２は、さらに、端末１０２が存在するかまたは目的地点が存在する地理的所在地に関する地図情報を有する地図データベース１５０を含んでもよい。例えば、地図データベース１５０は、街路／道路情報を有してもよいし、および／または、歩行者散歩エリアのような他のエリアについての地図情報を有してもよい。地図情報は、さらに、端末１０２のユーザの動作を制約する可能性がある地物、例えば建物、フェンス、河川等に関する情報を含んでもよい。
【００３７】
地図データベース１５０は、端末１５０の構成部品として示されているが、これは理解されるであろうが、地図データベース１５０および／または地図データベース１５０の一部分が、端末１０２から離れた場所に存在してもよい。例えば、地図データベース１５０は、離れた場所に記憶されて、通信モジュール１２８を通してアクセスされてもよい。地図データベース１５０の一部分が、検索されて端末１０２でローカルに記憶されてもよい。
【００３８】
図３を参照すると、ユーザインタフェース１２２は、例えばキーパッド、キーボード、タッチパッド、ジョグダイアル、および／または他のユーザ入力デバイスのような入力デバイス１３４を含むことができる。ユーザインタフェース１２２は、さらに、例えばＱｕａｒｔｅｒ  ＶＧＡ（ＱＶＧＡ、３２０×２４０画素）、Ｃｏｍｍｏｎ  Ｉｎｔｅｒｍｅｄｉａｔｅ  Ｆｏｒｍａｔ（ＣＩＦ、３６０×２８８画素）、および／またはＱｕａｒｔｅｒ  Ｃｏｍｍｏｎ  Ｉｎｔｅｒｍｅｄｉａｔｅ  Ｆｏｒｍａｔ（ＱＣＩＦ、１８０×１４４画素）のような動画フォーマットで動画信号を表示することができるＬＣＤディスプレイのような、表示画面１３２を含んでもよい。端末１０２は、端末１０２が動画信号を各種のフォーマットでデコードして表示できるようにするため、適切な復号ユニット（ＣＯＤＥＣ）を含んでもよい。また、ユーザインタフェース１２２は、マイクロフォンに入ってくる音声に応じて音声データストリームを生成するように構成された音声プロセッサに連結されたマイクロフォンと、入力音声信号に応じて音を生成するスピーカとを含む、音声インタフェースユニット１３６を含むことができる。
【００３９】
従って、例えば地図のような航法支援システムが、表示画面上に表示されてもよい。加えて、ユーザに対してかまたは端末１０２に対して、音声インタフェース１３６を通して警報および／または航法情報が伝達されてもよい。
【００４０】
一部の実施形態によると、端末１０２の位置が、位置／速度決定ユニット１４６によって特定される。次いで、制御器１２６が、目的地点からの端末１０２の距離を推定し、所与のコースと速度を想定して、端末１０２が目的地点に到着するために要する推定時間を決定してもよい。通信端末が目的地点に到着するために要する推定時間が閾値時間に達した場合に、制御器１２６が警報を発生してもよい。
【００４１】
特に、制御器１２６が、端末１０２の現在位置と目的地点との間におけるルートを決定してもよい。ルートは、制御器１２６の動作モードに基づいて決定されてもよい。例えば、第１のモード（すなわち、非制約モード）では、ルートは、ユーザに対して移動の制約をせずに決定されてもよい。従って、ルートは、端末１０２の現在位置から目的地点までの直線であってもよい。
【００４２】
一部の実施形態では、制御器１２６は、ルートが移動の制約に基づいて決定されることがある第２のモード（「制約モード」）で動作してもよい。例えば、端末１０２の移動は、街路／道路上での移動に制限されてもよい。
【００４３】
第３のモード（「部分的制約モード」）では、ルートは、例えば建物、フェンス、門および／または端末１０２が存在するユーザおよび／または車両の移動を部分的に制限することがある他の地物の存在のような、部分的な移動制約に基づいて決定されてもよい。移動の部分的制約モードでは、端末１０２がユーザによって持ち運ばれているが、ユーザの移動が少なくとも部分的に制限されているような所在地に適している。例えば、部分的制約モードは、一定方向へのユーザの移動が建物、河川、壁および／または他の地理的な地物によって妨げられていることがあるような市街地において、あるいは、端末１０２のユーザの移動は一般的には制約されないが、例えばフェンス、門等によって制限されることがあるテーマパークのような場所において、適していることがある。
【００４４】
また、端末１０２は、車両移動モードまたは歩行者移動モードで動作してもよい。車両移動モードでは、端末１０２は、ルート／距離／時間の算出を目的として街路／道路沿いの移動（すなわち制約モード）に制限されるが、現行の交通速度で移動することができると想定されてもよい。歩行者移動モードでは、端末１０２は、非制約モードまたは部分的制約モードであると想定されてもよいが、ルート／距離／時間の算出の目的では、平均的な、予測される、または最大の歩行速度に対応する最大速度を有すると想定されてもよい。
【００４５】
端末１０２の現行速度はユーザの現行速度および／または端末１０２の動作モードに基づいて決定されてもよく、そして、端末１０２が目的地点に到着するために要する推定時間も、ユーザの現行速度および／または端末１０２の動作モードに基づいて決定されてもよい。一部の実施形態では、平均速度を用いて、端末１０２が目的地点へ到着するために要する推定時間が決定されてもよい。他の実施形態では、これまでで最大の速度を用いて、通信端末が目的地点へ到着するために要する推定時間が決定されてもよい。一部の実施形態では、ユーザの現在速度に基づいて、端末１０２の速度（速さおよび方向）が決定されてもよく、そして、端末１０２が目的地点に到着するために要する推定時間が決定されてもよい。
【００４６】
一部の実施形態では、（指定のルートに沿った動作を想定して）端末１０２が目的地点に到着するために要する推定時間が閾値時間を超えた場合に警報が生成されてもよい。これは、例えば端末１０２が、指定の目的地点から遠くに移動し過ぎる場合がそれに該当するであろう。従って、例えば、一部の実施形態で、目的地点から遠くに移動しすぎて所与の時間内に目的地点へ戻れない場合に通知されることをユーザが希望してもよい。例として、ユーザが所与の時刻に目的地点で待ち合わせの約束があってもよい。ユーザは一時的に目的地点から徒歩で離れようと望むかもしれないが、目的地点から例えば１５分を超えて離れたくないかもしれない。従って、端末１０２のユーザが目的地点に戻るための推定時間が１５分を超えると判定された場合に、警報が生成されてもよく、ユーザが通知されてもよい。
【００４７】
一部の実施形態では、端末１０２のユーザが目的地点に到着するために要する推定時間が閾値時間に満たない場合に警報が生成されてもよい。例えば、ユーザが向かっている目的地点から１５分未満の時間しか離れていない場合に通知されることをユーザが望んでもよい。
【００４８】
本発明の一部の実施形態を図４に示しており、図４は、端末１０２の表示画面１３２上に表示される地図を示す。表示画面１３２上に表示される地図は、目的地点１３８（星印で示す）を示すアイコンと、端末１０２のユーザの第１の所在地１４０ａを示すアイコンとを含む。目的地点１３８は端末１０２のユーザによって入力されて、通信端末の表示画面１３２上に表示されてもよい。また、ユーザは、ユーザの速度および／または方向に関する制約に基づいて、目的地点１３８からの時間量を指示する時間的制限を入力してもよい。図４に示す実施形態では、端末１０２は、通信端末のユーザが任意の方向に移動してもよいことが想定されるように、非制約モードで動作している。
【００４９】
一部の実施形態では、端末１０２は、到着すべき目的地点から離れうる時間的制限にまだ達しない状態でありつつユーザが目的地点から最も遠ざかってもよい場所を指示する一時的な地理的境界線１４２を生成してもよい。すなわち、ユーザによって入力された時間的制限が１５分間であると想定すると、通信端末がちょうど一時的な地理的境界線１４２上に存在する場合、選択されたパスに沿ってユーザが目的地点に到着するには約１５分かかるであろうと推定される。一部の実施形態では、通信端末は、端末１０２の現在所在地からの最短のパスを決定してもよく、一時的な地理的境界線１４２は、目的地点への最短のパスに基づいて決定されてもよい。
【００５０】
一部の実施形態では、一時的な地理的境界線１４２は、端末１０２によって明示的に算出されるかまたは推定されてもよく、そして、表示画面１３２上に、例えば目的地点１３８の周囲に陰影を施されるかまたは強調表示されたエリアとして表示されてもよい。しかし、一部の実施形態では、一時的な地理的境界線は、明示的に決定されなくてもよい。そうではなく、端末１０２は、現在所在地１４０から目的地点１３８までの予想移動時間を定期的に更新してもよく、そして、予想移動時間がユーザによって確立された時間的制限と等しい場合に警報が生成されてもよい。
【００５１】
図４に示す実施形態では、ユーザの動作は、制約されていないと想定されているため、一時的な地理的境界線１４２は円形をしており、目的地点が円の中心になっている。
【００５２】
ユーザが端末１０２の現在所在地から目的地点まで移動するのにかかる推定時間は、ユーザの想定移動レート（速度）を参照して推定されてもよい。ユーザの想定速度は、ユーザの現行速度、ユーザの平均速度、および／または、任意に選択された速度に等しくてもよい。
【００５３】
従って、非制約動作を想定すると、一時的な地理的境界線１４２の半径Ｒは、以下の等式で与えられてもよい。
【００５４】
Ｒ＝Ｓ＊Ｔ    （１）
ここで、Ｓはユーザの想定速度であり、Ｔはユーザによって入力された一時的な制限である。
【００５５】
一部の実施形態では、一時的な地理的境界線の所在地は、一定の時間間隔でおよび／または変則的な時間間隔で更新されてもよい。例えば、ユーザは、自分が目的地点にいる必要がある一定の時間を指定してもよい。その場合、一時的な地理的境界線１４２の半径は、以下の等式で与えられてもよい。
【００５６】
Ｒ’＝Ｓ＊（Ｔ−ｔ）    （２）
ここでＳおよびＴは上記に示すとおりであり、ｔは、時間的制限が設定されてから経過した時間を表す。従って、図４に示すように、時間ｔが経過した後、一時的な地理的境界線１４２は、経過した時間に比例して新たな境界線１４２’へと縮小するであろう。
【００５７】
例えば、テーマパークの観光客が、パーク内の目的地点１３８に所在する特定の乗り物に乗る予約をしてもよい。ユーザは、目的地点を端末１０２に入力してもよく、そして、予約時間までに残っている時間より少ないかそれに等しい時間的制限を指定してもよい。次いで通信端末は、時間的制限に基づいて目的地点の周囲の一時的な地理的境界線１４２を決定してもよい。一時的な地理的境界線１４２と目的地点１３８と端末１０２の現在所在地１４０とを示す地図が、表示画面１３２に表示されてもよい。一時的な地理的境界線１４２は、経過時間の変化に従って連続的に更新されてもよい。もしユーザが一時的な地理的境界線１４２の範囲内に留まるならば、ユーザは自分が約束の時間までに乗り物に到着できるであろうと自信を持つことができる。
【００５８】
また一時的な地理的境界線１４２は、ユーザの動作の平均速度の変化に基づいて、あるいは、交通情報および／または交通情報ユニット１４８によって取得された混雑情報に基づいて、更新されてもよい。
【００５９】
また図４は、一時的な地理的境界線１４２の外側の場所１４０ｂに存在するユーザを示す。一部の実施形態では、所定の動作が行えるように、ユーザが、自分が目的地点から一定の移動時間の範囲内に来た場合に通知されることを望んでもよい。例えば、ユーザは、目的地で誰かと接触できるように、自分が目的地から１０分以内にいる場合に通知されることを望んでもよい。
【００６０】
図５は、ユーザの動作が部分的に制約される、通信端末の表示１３２上の地図を示す。特に、ユーザおよび目的地点１３８は、一般に直角の方向（例えば東西南北）へと動作を制限する街路１４６および建物１４４を含む都市環境にいてもよい。従って、一時的な地理的境界線１４２は、円形以外の形状をしていてもよい。特に、図５に示すエリア内でのユーザの動作は、一般に南北および東西の動作に制限されるため、一時的な地理的境界線１４２は一般にダイヤモンド形の外周を有してもよい。
【００６１】
図５に示す実施形態では、ユーザ端末１０２の所在地を、ユーザの位置および方向を表すシンボル１４０で表示する。
【００６２】
一部の実施形態では、上記のように、交通情報が、公共および／または私設の交通情報システムによって端末１０２に提供されてもよい。一部の実施形態では、エリア内に１つ以上の交通カメラ１４３または他のセンサが設置されてもよく、そして、それを用いて車両および／または歩行者の交通の指標が提供されてもよい。ある所在地に存在する交通量を用いて、ユーザの予想速度および／または最大速度が決定されてもよく、それを用いて、次には、目的地点１３８までの、および／または、一時的な地理的境界線１４２の場所までのユーザの推定移動時間が決定されてもよい。例えば、交通の混雑度が増すと結果として予想速度が遅くなり、それによって一時的な地理的境界線１４２のフットプリント（到達範囲）が縮小される可能性がある。また、交通情報、および／または、平均速度または予想速度に関する情報は、他の所在地に対応した移動端末１０２から取得されてもよいし、例えば図１に示す通信リンク１０６、１０８、１１２を通して、端末１０２へ通信されてもよい。
【００６３】
部分的に制約された移動のもう１つの例を図６に示す。図６に示す実施形態では、ユーザ（その所在地をアイコン１４０で表す）および目的地点１３８は、門１４７を含むフェンス１４８を含む都市型または準都市型の環境に存在している。一時的な地理的境界線１４２は、フェンス１４８のうちの目的地点１３８と同じ側に部分１４２ａを含み、フェンス１４８のうちの目的地点１３８とは別の側に部分１４２ｂを含む。図６に示すように、フェンス１４８および門１４７の存在によって、一時的な地理的境界線１４２の形状の変形が引き起こされる。例えば、時間的制限ＴＬがユーザによって確立されたと想定すると、フェンス１４８のうちの目的地点１３８と同じ側にある一時的な地理的境界線１４２の部分１４２ａは、Ｓ＊ＴＬと等しい半径Ｒａを持つほぼ円形の形状を有し、この場合、Ｓはユーザの推定移動速度である。ユーザが門１４７から目的地点１３８に到着するのにＴ１分かかるであろうと想定すると、フェンスの反対側の一時的な地理的境界線１４２の部分１４２ｂは、Ｓ＊（ＴＬ−（Ｔ１＋ＴＧ））と等しい半径Ｒｂを持つ半円となり、この場合、ＴＧは例えば、門１４７での待機時間を表すであろう。
【００６４】
目的地点の周囲のエリア内に動作制約に基づく一時的な地理的境界線１４２の変形は、上記と同様のやり方で判定することができる。建物、フェンス、門、橋などのような動作制約があればあるほど、一時的な地理的境界線１４２は一層変形する可能性がある。また、一時的な地理的境界線１４２は、さまざまな場所でのユーザの予想移動速度の変化に基づいて変形されることもある。
【００６５】
制約モードの一例を図７に示すが、ここで表示１３２は、道路１５６を含む道路地図を示す。目的地点１３８は、星印で表し、ユーザの場所は、端末１０２の位置と動作方向を表すアイコン１４０で表す。ユーザの場所１４０は、道路１５６上にある。一時的な地理的境界線１４２は、ユーザによって確立された時間的制限の範囲内にある道路１５６の部分１５６’を含むとして示す。一部の実施形態では、図７に示すように、一時的な地理的境界線１４２の範囲内にある道路１５６のうちの部分１５６’が、時空間的エリア１４２の範囲内の道路の範囲を表すため、強調表示され、陰影を施され、および／または、その他のかたちで印を付けられてもよい。
【００６６】
図７に示す表示フォーマットは、端末１０２が車両動作モードにされている場合に用いられてもよく、車両動作モードでは、端末１０２の動作は街路／道路１５６に制限される。目的地点１３８からの端末１０２の一時的距離が、端末１０２の現在位置と目的地点１３８の間のルートを確立することによって決定されてもよい。地図情報を用いたルートの算出は、当技術分野では知られており、これ以上記述する必要はない。
【００６７】
図８は、複数の端末１０２ａ乃至ｃの場所が表示画面上に表示されてもよい、本発明の別の実施形態を示す。１つ以上の端末１０２ｂ、１０２ｃの現在位置／速度は、図１に示すように、例えば通信リンク１０６、１０８、１１２を介して端末１０２ａに通信されてもよい。端末１０２ａは、端末１０２ａの表示画面１３２上に、通信端末１０２ｂ、１０２ｃの位置および動作の方向並びに自分自身の位置／方向を表示するアイコンを表示してもよい。さらに、図８に示すように、例えば、選択された目的地点からの推定移動時間および／または端末１０２ａ乃至１０２ｃの現在動作モードを示してもよい、ユーザアイコン１４０ａ乃至１４０ｃに関連する情報ボックス１４１ａ乃至１４１ｃが、それぞれのユーザアイコン１４０ａ乃至１４０ｃに隣接して表示されてもよい。
【００６８】
図８に示す例では、目的地点１３８ａが指定された目的地点であると想定すると、場所１４０ａに存在する端末は、車両モードで動作中であって、１２分３１秒という指定目的地点到着推定時間を有する。場所１４０ｂに存在する端末も、車両モードで動作中であって、１８分４５秒という指定目的地点到着推定時間を有する。場所１４０ｃに存在する端末は歩行者モードで動作中であって、５分２３秒という指定目的地点到着推定時間を有する。
【００６９】
図８にさらに示すように、複数の目的地点１３８ａ、１３８ｂが、画面１３２上に示されてもよい。特定の目的地点１３８ａ、１３８ｂを選択すると、端末１０２ａは、選択された目的地点に関連する一時的な地理的境界線１４２を表示してもよく、および／または、選択された目的地点１３８ａおよび１３８ｂに関連する、例えば推定移動時間のような情報を表示する情報ボックスが、更新されてもよい。
【００７０】
図８に示す実施形態は、所望のレベルのサービスおよび／または特定の場所への応答性を提供することを望むサービスプロバイダにとって特に有益であってもよい。例えば、サービスプロバイダは所定のクライアント所在地に対して１５分未満の応答時間を実現する義務を負うことが、サービスレベル契約によって指定されてもよい。従って、一部の実施形態を用いて、サービスプロバイダが、クライアント所在地から指定された移動時間の範囲内にあるかどうかを示すことができる。
【００７１】
理解されるであろうが、端末１０２ａ乃至１０２ｃに追従してそれらの所在地を表示する端末および目的地点１３８ａ、１３８ｂは、移動通信端末または無線通信端末である必要はなく、例えば、図１に示す１つ以上の通信リンク１０６、１０８、１１２を通して端末１０２ａ乃至１０２ｃと通信するワークステーションであってもよいだろう。
【００７２】
本発明の一部の実施形態による動作を図９乃至１１に示すが、それらは、上記のように構成された端末１０２によって行われうる動作のフローチャートである。図９を参照すると、端末１０２の中にユーザが目的地点１３８を設定してもよい（ブロック２０５）。またユーザは、目的地点の周囲に一時的制限を設定してもよい（ブロック２１０）。
【００７３】
ユーザは、目的地点からの距離および／または時間を判定するために、端末１０２の動作モードを設定してもよい（ブロック２１５）。例えば、ユーザは、動作モードを歩行者モードまたは車両モードに設定してもよい。歩行者モードでは、端末１０２は、上記のように、非制約モードまたは部分的制約モードで動作するように設定されてもよい。
【００７４】
端末１０２は、任意で、目的地点、一時的制限、および動作モードに応じて一時的な地理的境界線１４２を生成し、および／または、表示してもよい（ブロック２２０）。上記のように、一時的な地理的境界線１４２は、端末１０２の予想された、推定された、平均の、および／または最大の速度を参照して、決定されてもよい。
【００７５】
図１０を参照すると、動作中、端末１０２は、所在地判定ユニット１４６（図２）を用いて端末の所在地を決定してもよい（ブロック２２５）。端末１０２はさらに、目的地点１３８の周囲の地理的エリアについての交通／混雑情報を、例えば、交通情報ユニット１４８を用いて、取得してもよい（ブロック２３０）。次に、端末１０２は、地図情報と端末の所在地と目的地点の所在地と、および／または交通情報とを用いて、端末１０２の現在所在地と目的地点１３８との間のルートを算出してもよい（ブロック２３５）。一部の実施形態では、端末１０２は、端末の所在地と目的地点の間の最速ルートを決定してもよい。
【００７６】
図１１を参照すると、端末１０２は、自分の所在地を位置／速度決定ユニット１４６を用いて決定してもよい（ブロック３０５）。次いで、端末１０２は、端末１０２のユーザが一時的な地理的境界線１４２を越えたかどうか確認してもよい（ブロック３１０）。一部の実施形態では、端末１０２は、目的地点１３８への予想移動時間が指定の時間的制限に達したかどうか判定してもよい。
【００７７】
端末１０２が一時的な地理的境界線１４２を越えていない（または目的地点１３８への予想移動時間が指定の時間的制限に達していない）と判定された場合（ブロック３１０）、動作は、端末の所在地を再度特定するため、一巡して元に戻ってもよい（ブロック３０５）。
【００７８】
しかし、端末１０２が、自分は一時的な地理的境界線１４２を越えたと判定した場合（ブロック３１０）、警報が生成されてもよく、そして、ユーザに境界線を越えたことを通知してもよい（ブロック３１５）。
【００７９】
本発明について、本発明の態様による例示的動作を示すフローチャートである図９乃至１１をある程度参照しながら、記述してきた。理解されるであろうが、図９乃至１１のフローチャートのブロックおよびフローチャートのブロックの組み合わせは、例えば端末１０２のような、端末に含まれる電子回路を用いて実装されてもよい。また、理解されるであろうが、図９乃至１１のフローチャートのブロックおよびフローチャートのブロックの組み合わせは、図１、２、２Ａに示す構成部品以外の構成部品を用いて実装されてもよく、一般に、図９乃至１１のフローチャートのブロックおよびフローチャートのブロックの組み合わせは、特定目的のハードウェア、例えば、ディスクリートアナログおよび／またはデジタル回路構成、例えば、集積回路の組み合わせかまたは１つ以上の特定用途向け集積回路（ＡＳＩＣ）の中に、並びに、フローチャートのブロックまたは複数のブロック内に指定された機能を実装するための手段をコンピュータまたは他のプログラム可能なデータ処理装置上で実行される命令が創出するようなマシンを作り出すためにコンピュータまたは他のプログラム可能なデータ処理装置上にロードされてもよいコンピュータプログラム命令によって、実装されてもよい。また、コンピュータプログラム命令は、フローチャートのブロックまたは複数のブロック内に指定された機能を実装するためのステップをコンピュータまたは他のプログラム可能なデータ処理装置上で実行される命令が提供するようなコンピュータに実装されたプロセスを作り出すためにコンピュータまたは他のプログラム可能なデータ処理装置上で実行されることになる一連の動作ステップをもたらすため、コンピュータまたは他のプログラム可能なデータ処理装置にロードされてもよい。
【００８０】
従って、図９乃至１１のフローチャートのブロックは、指定された機能／動作を行うための電子回路および他の手段、並びに、指定された機能／動作を行うためのステップの組み合わせをサポートする。理解されるであろうが、図９乃至１１のフローチャートの各ブロックおよびその中のブロックの組み合わせによってサポートされる回路および他の手段は、特定目的のデータプロセッサまたは汎用のデータプロセッサあるいはそれらの組み合わせ上で動作する特定目的のハードウェア、ソフトウェアまたはファームウェアによって実装することができる。
【００８１】
図面および明細書において、本発明の実施形態についてここまで開示してきたが、特定の用語が使用されているといっても、それらは一般的で説明的な意味においてのみ用いられており、限定を目的としておらず、本発明の範囲は、以下の請求項の中で述べる。
【図１】
2010522867.tif 000003
【図２】
2010522867.tif 000004
【図３】
2010522867.tif 000005
【図４】
2010522867.tif 000006
【図５】
2010522867.tif 000007
【図６】
2010522867.tif 000008
【図７】
2010522867.tif 000009
【図８】
2010522867.tif 000010
【図９】
2010522867.tif 000011
【図１０】
2010522867.tif 000012
【図１１】
2010522867.tif 000013
【手続補正書】
【提出日】平成20年10月1日(2008.10.1)
【手続補正１】
【補正対象書類名】特許請求の範囲
【補正対象項目名】全文
【補正方法】変更
【補正の内容】
【特許請求の範囲】
【請求項１】
移動端末の位置を管理する方法であって、
前記移動端末の位置を取得する取得ステップと、
前記移動端末から目的地点までの距離を推定する推定ステップと、
前記移動端末が前記目的地点に到達するのに要する推定時間を生成する生成ステップと、
前記推定時間が閾値時間に達すると警告を発生する発生ステップと、
前記移動端末の位置と、前記目的地点と、前記移動端末の移動レートとに応答して前記目的地点の周囲に配置される一時的な地理的境界線を算出するステップと、
前記移動端末が備える表示装置に前記一時的な地理的境界線を表示するステップと
を備え、
前記一時的な地理的境界線は、前記閾値時間内に前記目的地点に到達可能でかつ前記目的地点から最も遠い位置までの距離を示していることを特徴とする方法。
【請求項２】
前記推定ステップは、
前記移動端末に課せられた移動の制限に基づいて前記移動端末の位置と前記目的地点との間のルートを作成するステップ
を備え、
前記推定時間の前記生成ステップは、
前記作成されたルートに基づいて前記推定時間を生成するステップ
を備えることを特徴とする請求項１に記載の方法。
【請求項３】
前記ルートを作成するステップは、前記移動端末の動作モードに応答して実行されるステップであることを特徴とする請求項２に記載の方法。
【請求項４】
前記動作モードには、歩行者動作モードが含まれており、
前記移動の制限には、建物、橋、門、フェンスのうち少なくとも１つが含まれている
ことを特徴とする請求項３に記載の方法。
【請求項５】
前記動作モードには、乗り物動作モードが含まれており、
前記移動の制限には、道路が含まれている
ことを特徴とする請求項３に記載の方法。
【請求項６】
前記移動端末の現在の速度を測定するステップをさらに備え、
前記推定時間の前記生成ステップは、前記現在の速度に応答して前記推定時間を生成するステップである
ことを特徴とする請求項２に記載の方法。
【請求項７】
前記推定時間の前記生成ステップは、前記移動端末が平均速度と最大速度との少なくとも一方で移動するものと仮定して前記推定時間を生成するステップであることを特徴とする請求項２に記載の方法。
【請求項８】
前記移動端末の位置と前記目的地点との間に存在するエリアにおける交通を示す交通情報を取得するステップをさらに備え、
前記推定時間の前記生成ステップは、前記交通情報に応答して前記推定時間を生成するステップである
ことを特徴とする請求項２に記載の方法。
【請求項９】
前記ルートを作成するステップは、前記交通情報に応答して前記移動端末の現在の位置と前記目的地点との間における最短ルートを作成するステップを備えていることを特徴とする請求項８に記載の方法。
【請求項１０】
前記警報を発生する前記発生ステップは、前記推定時間が前記閾値時間を超えた場合に前記警報を発生するステップであることを特徴とする請求項１に記載の方法。
【請求項１１】
前記警報を発生する前記発生ステップは、前記推定時間が前記閾値時間よりも短い場合に前記警報を発生するステップであることを特徴とする請求項１に記載の方法。
【請求項１２】
前記移動端末に関する情報ボックスを表示するステップをさらに備え、
前記情報ボックスには、前記推定時間が含まれている
ことを特徴とする請求項１に記載の方法。
【請求項１３】
前記一時的な地理的境界線を時間の経過とともに動的に更新するステップをさらに備えることを特徴とする請求項１に記載の方法。
【請求項１４】
前記複数の移動端末の位置を取得する取得ステップと、
前記複数の移動端末から目的地点までの距離を推定する推定ステップと、
前記複数の移動端末が前記目的地点に到達するのに要する推定時間を生成する生成ステップと、
前記複数の移動端末のうち少なくとも１つの移動端末についての前記推定時間が閾値時間に達すると警告を発生する発生ステップと
を備えることを特徴とする請求項１に記載の方法。
【請求項１５】
移動端末であって、
前記移動端末の位置を取得するように構成された位置管理ユニットと、
表示装置と、
前記移動端末から目的地点までの距離を推定し、前記移動端末が前記目的地点に到達するのに要する推定時間を生成し、前記推定時間が閾値時間に達すると警告を発生するように構成された制御ユニットと
を備え、
前記制御ユニットは、前記移動端末の位置と、前記目的地点と、前記移動端末の移動レートとに応答して前記目的地点の周囲に配置される一時的な地理的境界線を算出し、前記表示装置に前記一時的な地理的境界線を表示するように構成されており、
前記一時的な地理的境界線は、前記閾値時間内に前記目的地点に到達可能でかつ前記目的地点から最も遠い位置までの距離を示していることを特徴とする移動端末。
【請求項１６】
前記移動端末の位置と前記目的地点との間に存在するエリアにおける交通を示す交通情報を取得する交通情報取得ユニットをさらに備え、
前記制御ユニットは、前記交通情報に応答して前記推定時間を生成するように構成されている
ことを特徴とする請求項１５に記載の移動端末。
【請求項１７】
地図データベースをさらに備え、
前記制御ユニットは、前記地図データベースに記憶されている地図情報に応答して前記移動端末の位置から前記目的地点へのルートを作成するように構成されていることを特徴とする請求項１５に記載の移動端末。
【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
移動端末の位置を管理する方法であって、
前記移動端末の位置を取得する取得ステップと、
前記移動端末から目的地点までの距離を推定する推定ステップと、
前記移動端末が前記目的地点に到達するのに要する推定時間を生成する生成ステップと
、
前記推定時間が閾値時間に達すると警告を発生する発生ステップと、
前記移動端末の位置と、前記目的地点と、前記移動端末の移動レートとに応答して前記
目的地点の周囲に配置される一時的な地理的境界線を算出するステップと、
前記移動端末が備える表示装置に前記一時的な地理的境界線を表示するステップと
を備え、
前記一時的な地理的境界線は、前記閾値時間内に前記目的地点に到達可能でかつ前記目
的地点から最も遠い位置までの距離を示していることを特徴とする方法。
【請求項２】
前記推定ステップは、
前記移動端末に課せられた移動の制限に基づいて前記移動端末の位置と前記目的地点と
の間のルートを作成するステップ
を備え、
前記推定時間の前記生成ステップは、
前記作成されたルートに基づいて前記推定時間を生成するステップ
を備えることを特徴とする請求項１に記載の方法。
【請求項３】
前記ルートを作成するステップは、前記移動端末の動作モードに応答して実行されるス
テップであることを特徴とする請求項２に記載の方法。
【請求項４】
前記警報を発生する前記発生ステップは、前記推定時間が前記閾値時間よりも短い場合
に前記警報を発生するステップであることを特徴とする請求項１に記載の方法。
【請求項５】
前記移動端末に関する情報ボックスを表示するステップをさらに備え、
前記情報ボックスには、前記推定時間が含まれている
ことを特徴とする請求項１に記載の方法。
【請求項６】
前記一時的な地理的境界線を時間の経過とともに動的に更新するステップをさらに備え
ることを特徴とする請求項５に記載の方法。
【請求項７】
前記複数の移動端末の位置を取得する取得ステップと、
前記複数の移動端末から目的地点までの距離を推定する推定ステップと、
前記複数の移動端末が前記目的地点に到達するのに要する推定時間を生成する生成ステ
ップと、
前記複数の移動端末のうち少なくとも１つの移動端末についての前記推定時間が閾値時
間に達すると警告を発生する発生ステップと
を備えることを特徴とする請求項１に記載の方法。
【請求項８】
移動端末であって、
前記移動端末の位置を取得するように構成された位置管理ユニットと、
表示装置と、
前記移動端末から目的地点までの距離を推定し、前記移動端末が前記目的地点に到達す
るのに要する推定時間を生成し、前記推定時間が閾値時間に達すると警告を発生するよう
に構成された制御ユニットと
を備え、
前記制御ユニットは、前記移動端末の位置と、前記目的地点と、前記移動端末の移動レ
ートとに応答して前記目的地点の周囲に配置される一時的な地理的境界線を算出し、前記
表示装置に前記一時的な地理的境界線を表示するように構成されており、
前記一時的な地理的境界線は、前記閾値時間内に前記目的地点に到達可能でかつ前記目
的地点から最も遠い位置までの距離を示していることを特徴とする移動端末。
【請求項９】
前記移動端末の位置と前記目的地点との間に存在するエリアにおける交通を示す交通情
報を取得する交通情報取得ユニットをさらに備え、
前記制御ユニットは、前記交通情報に応答して前記推定時間を生成するように構成され
ている
ことを特徴とする請求項８に記載の移動端末。
【請求項１０】
地図データベースをさらに備え、
前記制御ユニットは、前記地図データベースに記憶されている地図情報に応答して前記
移動端末の位置から前記目的地点へのルートを作成するように構成されていることを特徴
とする請求項８に記載の移動端末。
【国際調査報告】
2010522867.tif 000014
2010522867.tif 000015
2010522867.tif 000016